(57)【要約】【課題】  パラペットを構成するパネル同士の目地部に水平方向、垂直方向、又は水平方向及び垂直方向の相対変位が発生した際にその変動を吸収することができる構造が簡素で低コストである笠木連結構造を提供する。【解決手段】  建物におけるパラペット14の天端部16に被装される笠木本体18が複数から構成される際における笠木連結構造10において、複数の笠木本体18間が弾性部材54で連結されていることを特徴とすると共に、パラペット14がロッキング構造である複数のパネルから構成され複数のパネル間が相対変位した際に複数の笠木本体18間がパネル間の相対変位に追従して変動するように複数の笠木本体18間に弾性部材54が設けられてなる。【選択図】        図１
2005273229.tif 000002
【特許請求の範囲】
【請求項１】
建物におけるパラペットの天端部に被装される笠木が複数から構成される際における笠木連結構造において、
前記複数の笠木間が弾性部材で連結されていることを特徴とする笠木連結構造。
【請求項２】
前記パラペットが複数のパネルから構成され該複数のパネル間が相対変位した際に前記複数の笠木間が前記パネル間の相対変位に追従して変動するように前記複数の笠木間に弾性部材が設けられていることを特徴とする請求項１記載の笠木連結構造。
【発明の詳細な説明】
【技術分野】
【０００１】
本発明は、建物におけるパラペットの天端部に被装される笠木が複数から構成される際における笠木連結構造に関する。
【背景技術】
【０００２】
従来、ＰＣパネルやＡＬＣパネル等のパネルを現場取付け又は現場組立てして構成されたパネル躯体パラペットを保護するように、パラペット天端面を跨いで固着したホルダーにカバー材を被嵌した構成の笠木において、パネル目地部の近接位置に固着したホルダー或いはパネル目地部近傍のパラペット天端面から目地部方向に上下の弾性を有するバネ体を延設し、カバー材はその継目が上記パネル目地部と略合致するようにしてホルダーに嵌合すると共に、この継目部分には、その両側のカバー材内側部分に渡る長さを有するジョイントプレートを上記両カバー材内側に当接するように配設させ、上記バネ体によって上記ジョイントプレートを上記両カバー材に圧接させてなる構成を有する笠木が知られている（特許文献１参照）。当該笠木によれば、ジョイントプレートがパラペットを構成するパネルに接することなくバネ体により下方向から押圧されてカバー材内側に圧接しているだけになることから、パラペットを構成するパネル同士の目地部に垂直方向の段差が発生しても、その変動がジョイントプレートとカバー材の相互変位により吸収されてしまうため、ジョイントプレート及びカバー材両者の変形又は破損を防止すると共に、カバー材の嵌合状態を維持することができる。
【特許文献１】特開平８−１９３３９５号公報
【発明の開示】
【発明が解決しようとする課題】
【０００３】
しかしながら、上述の従来技術である笠木同士を連結する構造では、パネル目地部の近接位置に固着したホルダー又はパネル目地部近傍のパラペット天端面から目地部方向に上下の弾性を有するバネ体を延設し、カバー材はその継目が上記パネル目地部と略合致するようにしてホルダーに嵌合すると共に、この継目部分には、その両側のカバー材内側部分に渡る長さを有するジョイントプレートを上記両カバー材内側に当接するように配設させ、上記バネ体によって上記ジョイントプレートを上記両カバー材に圧接させてなる構成を有するため、構造が複雑でコストが嵩むという問題点がある。
【０００４】
また、上述の従来技術である笠木同士を連結する構造では、ジョイントプレートがパラペットを構成するパネルに接することなくバネ体により下方向から押圧されてカバー材内側に圧接しているだけになることから、パラペットを構成するパネル同士の目地部に垂直方向の段差が発生しても、その変動がジョイントプレートとカバー材の相互変位により吸収されてしまうため、ジョイントプレート及びカバー材両者の変形又は破損を防止すると共に、カバー材の嵌合状態を維持することができるが、パラペットを構成するパネル同士の目地部に水平方向の段差が発生した場合には、その変動がジョイントプレートとカバー材が相互変位することによって吸収することができないため、ジョイントプレート及びカバー材両者に変形又は破損が発生するという問題点がある。
【０００５】
本発明は、このような状況を鑑みてなされたもので、パラペットを構成するパネル同士の目地部に水平方向、垂直方向、又は水平方向及び垂直方向の相対変位が発生した際にその変動を吸収することができる構造が簡素で低コストである笠木連結構造を提供することを目的とする。
【課題を解決するための手段】
【０００６】
前述の課題を解決するため、本発明に係る笠木連結構造は、次のような手段を採用する。
【０００７】
即ち、請求項１記載の発明の笠木連結構造は、建物におけるパラペットの天端部に被装される笠木が複数から構成される際における笠木連結構造において、前記複数の笠木間が弾性部材で連結されていることを特徴とする。
【０００８】
また、請求項２記載の発明の笠木連結構造は、請求項１記載の発明において、前記パラペットが複数のパネルから構成され該複数のパネル間が相対変位した際に前記複数の笠木間が前記パネル間の相対変位に追従して変動するように前記複数の笠木間に弾性部材が設けられていることを特徴とする。
【発明の効果】
【０００９】
請求項１記載の発明の笠木連結構造によれば、複数の笠木間が弾性部材で連結されているため、建物におけるパラペットの天端部に水平方向、垂直方向、又は水平方向及び垂直方向の段差が生じている際に笠木が変形又は破損等を発生することなくパラペットの天端部に笠木を被装することができる。
【００１０】
また、請求項２記載の発明の笠木連結構造によれば、パラペットがロッキング構造である複数のパネルから構成され複数のパネル間が相対変位した際に複数の笠木間がパネル間の相対変位に追従して変動するように複数の笠木間に弾性部材が設けられているため、パラペットを構成するパネル同士の目地部に水平方向、垂直方向、又は水平方向及び垂直方向の相対変位が発生した際にその変動を吸収することができる構造が簡素で低コストである笠木連結構造を提供することができる。
【発明を実施するための最良の形態】
【００１１】
以下、本発明に係る笠木連結構造の実施形態を図面に基づいて説明する。図１乃至図４は、本発明に係る笠木連結構造の一実施形態を説明する図である。
【００１２】
図１は、本実施形態の笠木連結構造10を示す斜視図である。本実施形態における笠木12は、建物におけるパラペット14の天端部16に被装されている。本実施形態における笠木12は、笠木本体18を備えている。笠木本体18は、側面視で下部を開口する略コ字状に形成されている。笠木本体18は、正面壁20と背面壁22との内側間隔がパラペット14の前後方向の幅に対して幅大に形成されている。笠木本体18は、左右方向に長尺となるように形成されている。笠木本体18の天板24の後端部には、突出部26が形成されている。笠木本体18の突出部26は、笠木本体18の天板24が後端部で上方に突出して先端部で後方に延びて後端で下方に延びて背面壁22となるように形成されている。笠木本体18の正面壁20の下端部28及び背面壁22の下端部30は、笠木本体18の内側に延びている。笠木本体18は、後端部が前端部に対して上方となるように天板24が傾斜するようにパラペット14に被装されている。
【００１３】
笠木本体18は、ブラケット32を介してパラペット14に被装されている。ブラケット32は、側面視で下部を開口する略コ字状に形成されている。ブラケット32は、正面壁34と背面壁36との間隔がパラペット14の前後方向の幅に対して幅大であると共に笠木本体18の正面壁20と背面壁22との内側間隔に対して幅小となるように形成されている。ブラケット32は、前後方向に長尺となるように形成されている。ブラケット32の天板38には、前部に凹部40、後部に凹部42が形成されている。ブラケット32の凹部40，42の下面は、パラペット14の天端部16に当接している。ブラケット32の凹部40，42には、長円穴44，46が穿設されている。ブラケット32は、凹部40，42に穿設されている長円穴44，46にアンカーボルト48を挿通してパラペット14の天端面に上端部が露出してパラペット14に埋設されているアンカープラグ50に螺着することでパラペット14の天端部16に固定されている。
【００１４】
笠木本体18とブラケット32とは、ブラケット32の天板38の上面が笠木本体18の天板24の下面と当接すると共に、ブラケット32の正面壁34の下端が笠木本体18の正面壁20における笠木本体18の内側に延びている下端部28の内面に当接すると共にブラケット32の背面壁36の下端が笠木本体18の背面壁22における笠木本体18の内側に延びている下端部30の内面に当接することによって嵌合している。
【００１５】
笠木本体18は、ロッキング構造である複数のパネルから構成されているパラペット14の目地部52に対する略垂直部で分割されている。分割されている笠木本体18は、弾性部材54で連結されている。弾性部材54は、図２に示すように、側面視で下部を開口する略コ字状に形成されている。弾性部材54は、正面壁57と背面壁58との外側間隔が笠木本体18の正面壁20と背面壁22との内側間隔と略同一となるように形成されている。弾性部材54の天板56における左右方向の中央部62は、前後方向に渡って正面視で略Ｕ字状に形成されている。また、弾性部材54の正面壁60における左右方向の中央部63は、上下方向に渡って上面視で下部を開口する略Ｕ字状に形成されている。また、弾性部材54の背面壁64における左右方向の中央部66は、上下方向に渡って上面視で略Ｕ字状に形成されている。弾性部材54の素材としては、ゴム等が挙げられる。
【００１６】
笠木本体18が分割されている端部には、天板24、正面壁20及び背面壁22に孔68が穿設されている。また、弾性部材54の平面部には、弾性部材54の天板56の上面が笠木本体18の天板24の下面に当接され、弾性部材54の正面壁56の外面が笠木本体18の正面壁20の内面に当接され、弾性部材54の背面壁58の外面が笠木本体18の背面壁22の内面に当接される際に、笠木本体18の孔68に重なるように孔70が穿設されている。
【００１７】
笠木本体18と弾性部材54とは、笠木本体18が分割されている端部に笠木本体18の孔68と弾性部材54の孔70とが略一致して重なるように弾性部材54の平面部が内側に当接されていると共に、プレート72が弾性部材54の平面部の内側に当接されて、笠木本体18の孔68、弾性部材54の孔70及びプレート72の孔74にリベット76を挿通してかしめることによって連結されている。
【００１８】
次に、以上のように構成されている笠木連結構造10の作用について説明する。図３及び図４は、笠木連結構造10の作用を説明するための図である。図３は、ロッキング構造である複数のパネルから構成されているパラペット14が垂直方向に相対変位した状態を示す斜視図である。複数のパネルから構成されているパラペット14が垂直方向に相対変位した場合には、弾性部材54の天板56の中央部62、正面壁60の中央部63及び背面壁64の中央部66におけるＵ字形状が変形することによって垂直方向の変動を吸収する。
【００１９】
図４は、ロッキング構造である複数のパネルから構成されているパラペット14が水平方向に相対変位した状態を示す斜視図である。複数のパネルから構成されているパラペット14が水平方向に相対変位した場合には、弾性部材54の天板56の中央部62、正面壁60の中央部63及び背面壁64の中央部66におけるＵ字形状が変形することによって水平方向の変動を吸収する。
【００２０】
以上、本実施形態によれば、複数の笠木本体18間が弾性部材54によって連結されているため、建物におけるパラペット14の天端部16に水平方向、垂直方向、又は水平方向及び垂直方向の段差が生じている際に笠木が変形又は破損等を発生することなくパラペット14の天端部16に笠木を被装することができる。
【００２１】
また、本実施形態によれば、パラペット14がロッキング構造である複数のパネルから構成され複数のパネル間が相対変位した際に複数の笠木本体18間がパネル間の相対変位に追従して変動するように複数の笠木本体18間に弾性部材54が設けられているため、パラペット14を構成するパネル同士の目地部52に水平方向、垂直方向、又は水平方向及び垂直方向の相対変位が発生した際にその変動を吸収することができる簡素で低コストである笠木連結構造10を提供することができる。
【００２２】
尚、本発明は上記実施形態に限定されるものではなく、本発明の要旨の範囲内において種々の変形実施が可能である。
【図面の簡単な説明】
【００２３】
【図１】本発明に係る笠木連結構造を示す斜視図である。
【図２】図１の弾性部材を示す斜視図である。
【図３】本発明に係る笠木連結構造の作用を説明するための斜視図である。
【図４】本発明に係る笠木連結構造の作用を説明するための斜視図である。
【符号の説明】
【００２４】
10  笠木連結構造
12  笠木
14  パラペット
16  天端部
54  弾性部材
【図１】
2005273229.tif 000003
【図２】
2005273229.tif 000004
【図３】
2005273229.tif 000005
【図４】
2005273229.tif 000006